(57)【要約】      （修正有）【課題】患者に訓練の成果を自覚させ、訓練意欲の維持、向上を図るのに適したハンドグリップおよびハンドグリップ装置を提供する。【解決手段】内部が空洞の弾性体から成り、手に持って弾性変形させることが可能なグリップ本体２と、グリップ本体２の一部に大気と連通するように設けられた吸気口３および排気口４と、吸気口３および排気口４にそれぞれ設けられた逆止弁８とを備えたリハビリテーション用ハンドグリップ１とする。また、これを空気により作動して患者に興趣を起こさせる動作を行う外部デバイスと接続して、リハビリテーション用ハンドグリップ装置とする。【選択図】図３
0003122480.tif 000002
【実用新案登録請求の範囲】
【請求項１】
内部が空洞の弾性体から成り、手に持って弾性変形させることが可能なグリップ本体と、
前記グリップ本体の一部に大気と連通するように設けられた吸気口および排気口と、
前記吸気口および排気口にそれぞれ設けられた逆止弁と
を備えたことを特徴とするハンドグリップ。
【請求項２】
前記ハンドグリップは、リハビリテーション用ハンドグリップであることを特徴とする請求項１に記載のハンドグリップ。
【請求項３】
前記グリップ本体が、握りやすい楕円形状又は円筒形状を有することを特徴とする請求項１又は２に記載のハンドグリップ。
【請求項４】
前記吸気口および排気口が、前記グリップ本体の楕円形状又は円筒形状の頂部に設けられていることを特徴とする請求項３に記載のハンドグリップ。
【請求項５】
請求項１、２、３又は４に記載のハンドグリップと、
前記ハンドグリップの排気口に接続され、該排気口から排気される空気により作動して患者に興趣を起こさせる動作を行う外部デバイスと
を有することを特徴とするハンドグリップ装置。
【請求項６】
前記外部デバイスが、前記排気口から排気される空気により作動して音響を発する装置から成ることを特徴とする請求項５に記載のハンドグリップ装置。
【請求項７】
前記外部デバイスが、笛から成ることを特徴とする請求項６に記載のハンドグリップ装置。
【請求項８】
前記外部デバイスが、複数個の笛要素を並べた連装笛から成ることを特徴とする請求項６に記載のハンドグリップ装置。
【請求項９】
前記外部デバイスが、前記排気口から排気される空気により作動して視覚的に変化する装置から成ることを特徴とする請求項５に記載のハンドグリップ装置。
【請求項１０】
前記外部デバイスが、ゴム風船から成ることを特徴とする請求項９に記載のハンドグリップ装置。
【請求項１１】
前記外部デバイスが、透明ケース内に液体を入れ、該液体の下部に外部から空気を入れる構成とした気泡発生鑑賞装置から成ることを特徴とする請求項９に記載のハンドグリップ装置。
【請求項１２】
前記外部デバイスが、シャボン膜の下方から空気が導出されてシャボン玉が作られるシャボン玉発生装置から成ることを特徴とする請求項９に記載のハンドグリップ装置。
【請求項１３】
前記外部デバイスが、吹き出しノズルから空気が噴出されて風車が回転する風車回転鑑賞装置から成ることを特徴とする請求項９に記載のハンドグリップ装置。
【考案の詳細な説明】
【技術分野】
【０００１】
本考案は、ハンドグリップおよびハンドグリップ装置に関し、特に、手の麻痺を生じた患者等に対する機能回復訓練に用いるリハビリテーション用のハンドグリップおよびハンドグリップ装置に関する。
【背景技術】
【０００２】
従来より、いわゆる寝たきり老人、脳梗塞後遺症、脳内出血後遺症等により手の麻痺を生じた患者等に対して、その機能回復を図るリハビリテーション用の器具が、多種開発されてきている。
【０００３】
いずれも医学的には問題がないものの、患者の興味を引きにくく、また、自らが訓練を通じてどの程度の機能回復が計られたかが感覚的に把握しづらい。従って、従来の器具は、患者自らの自発的な訓練意欲の維持、向上を図りにくいという問題があり、訓練意欲を失った患者によって廃用に至り易い。
【考案の開示】
【考案が解決しようとする課題】
【０００４】
本考案は、上記従来技術の有する問題点に鑑みてなされたものであり、患者に訓練の成果を自覚させ、訓練意欲の維持、向上を図るのに適したハンドグリップおよびハンドグリップ装置を提供することを目的とする。
【課題を解決するための手段】
【０００５】
本考案の上記目的は、下記の手段によって達成される。
【０００６】
（１）内部が空洞の弾性体から成り、手に持って弾性変形させることが可能なグリップ本体と、前記グリップ本体の一部に大気と連通するように設けられた吸気口および排気口と、前記吸気口および排気口にそれぞれ設けられた逆止弁とを備えたことを特徴とするハンドグリップ。
【０００７】
逆止弁付の吸気口および排気口を備えるため、グリップ本体を手に持って弾性変形させた際、グリップ本体の内部に在る空気を排気口から外部に放出させることができる。また把持する力を緩めることにより吸気口からグリップ本体内に大気が入り込み、グリップ本体が元の姿に戻る。この状態変化は通常吸気音又は排気音を伴う。また、ハンドグリップを出入りする媒体は空気に限らず液体でもよい。例えばお風呂の中でお湯などを対象とし、湯を飛び出させるといった使い方ができる。この空気又は液体の出入り作用の存在により、患者に興趣を起こさせることができ、また、その出入りする空気の速度や量により、自らが訓練を通じてどの程度の機能回復が計られたかが感覚的に把握することができる。従って、患者自らの自発的な訓練意欲の維持、向上を図ることが可能である。
【０００８】
（２）前記ハンドグリップは、リハビリテーション用ハンドグリップであることを特徴とする上記（１）に記載のハンドグリップ。
【０００９】
（３）前記グリップ本体が、握りやすい楕円形状又は円筒形状を有することを特徴とする上記（１）又は（２）に記載のハンドグリップ。
【００１０】
これによれば患者が握りやすく操作しやすいという長所が得られる。
【００１１】
（４）前記吸気口および排気口が、前記グリップ本体の楕円形状又は円筒形状の頂部に設けられていることを特徴とする上記（３）に記載のハンドグリップ。
【００１２】
この構造によれば、グリップ本体を手にする際に吸気口および排気口が邪魔に成らならず、またグリップ本体を手に持ったとき患者が視認し得る部位に吸気口および排気口が来るので、グリップ本体の操作がし易くなり且つ患者に興趣を起こしやすくなる。
【００１３】
（５）上記（１）、（２）、（３）又は４に記載のハンドグリップと、
前記ハンドグリップの排気口に接続され、該排気口から排気される空気により作動して患者に興趣を起こさせる動作を行う外部デバイスと
を有することを特徴とするハンドグリップ装置。
【００１４】
これによれば、患者がグリップ本体を弾性変形させることに伴い、外部デバイスが動作を起こすので、より強い興趣を患者に起こさせることができる。
【００１５】
（６）前記外部デバイスが、前記排気口から排気される空気により作動して音響を発する装置から成ることを特徴とする上記（５）に記載のハンドグリップ装置。
【００１６】
外部デバイスが音響を発するので、聴覚的に患者に強い興趣を起こさせることができる。この外部デバイスの具体的例としては、笛要素が１個から成る笛や、複数個の笛要素を並べて構成した連装笛を挙げることができる。
【００１７】
（７）前記外部デバイスが、前記排気口から排気される空気により作動して視覚的に変化する装置から成ることを特徴とする上記（５）に記載のハンドグリップ装置。
【００１８】
外部デバイスが視覚的に変化するので、視覚的に患者に強い興趣を起こさせることができる。この外部デバイスの具体的例としては、最も簡単なものとして、ゴム風船がある。また、透明ケース内に液体を入れ、該液体の下部に外部から空気を入れる構成とした気泡発生鑑賞装置や、シャボン膜の下方から空気が導出されてシャボン玉が作られるシャボン玉発生装置や、吹き出しノズルから空気が噴出されて風車が回転する風車回転鑑賞装置などを挙げることができる。
【考案の効果】
【００１９】
本考案のハンドグリップは、グリップ本体を手に持って弾性変形させ又は復帰動作させることにより、空気などの流体をグリップ本体の排気口から外部に放出させ、また、吸気口からグリップ本体内に入り込ませることができる。この空気などの流体の出入り作用が存在することにより、患者に興趣を起こさせることができ、また、その出入りする空気などの流体の流出入速度や量により、自らが訓練を通じてどの程度の機能回復が計られたかが感覚的に把握することができる。従って、患者自らの自発的な訓練意欲の維持、向上を図ることが可能である。
【００２０】
また、本考案のハンドグリップ装置は、グリップ本体を手に持って弾性変形させ又は復帰動作させることにより、上記ハンドグリップの排気口に接続した外部デバイスが作動して、患者に興趣を起こさせる特定の動作を行うので、より強い興趣を患者に起こさせることができる。
【００２１】
このように本考案は、簡単に患者自らに訓練の成果を自覚させ易く、また本考案を用いた訓練自体が娯楽的要素を有するため患者の訓練意欲の維持、向上に有意義なものである。
【００２２】
また本考案のハンドグリップおよびハンドグリップ装置は、器具自体が簡素な構造のため、病院その他の施設のみならず、患家（患者の家庭）で家族と共に、いわゆる遊び感覚で訓練が可能という長所がある。
【考案を実施するための最良の形態】
【００２３】
以下、本考案の実施の形態を、図面を参照して詳細に説明する。
【００２４】
図１は、本考案の第１の実施形態にかかるリハビリテーション用ハンドグリップの斜視図、図２はそのＡ−Ａ断面図である。
【００２５】
このリハビリテーション用ハンドグリップ１は、内部が空洞の弾性体から成り、手に持って弾性変形させることが可能なグリップ本体２と、前記グリップ本体２の一部に大気と連通するように設けられた吸気口３および排気口４と、前記吸気口３および排気口４の内部にそれぞれ設けられた逆止弁８（図３参照）とを備える。
【００２６】
図２に示すように、グリップ本体２を構成する弾性体は二層から成り、その外側層２ａの材質には、弾力に富み柔軟な高分子化合物（ゴム、シリコン系化合物等のエラストマー）が使用されている。また、内側層２ｂの材質には、やや硬質な高分子化合物が使用されている。このようにグリップ本体２を構成する弾性体を二層構造としたのは、外側層２ａおよび内側層２ｂの材質を変えることで、グリップ本体２の全体としての弾力性を調整することが可能であり、患者の手の大きさや患者の握力の程度に応じた適切な弾力性に調整できるためである。しかし、必要な弾性強度を確保できる場合や別の事情があるには、単層のみで構成することもできる。
【００２７】
この実施形態の場合、グリップ本体２は片手で掌握し得る大きさの立体的な楕円形状をしており、その頂部、すなわち楕円長軸の一端側に取付板５が固定されており、この取付板５に、上記吸気口３および排気口４を構成する円筒体６が並置されて固定され、且つその基部開口がグリップ本体２の内部の空洞７と連通している。
【００２８】
上記吸気口３および排気口４は、これを構成する円筒体６の内部にそれぞれ逆止弁８を備える。図３は、この逆止弁８の構造を、一例として示したもので、円筒体６の内部に形成した円環状の弁座８ｂと、この弁座８ｂの片側の一部分に固着して取り付けられ、弁座８ｂを開閉するための弁体８ａとから成る。弁体８ａは、通常時には、弁体自身の弾性あるいは図示しない弾性部材により弁座８ｂを閉じる方向に付勢される。
【００２９】
図３は排気口４に設けられた逆止弁８を示しており、グリップ本体２の内部空気が外部に流出しようとする場合は、図３（ａ）に示すように開いて、その流れを許可し、逆に、外部からグリップ本体２の内に空気が流入しようとする場合は、図３（ｂ）のように閉じて、この流れを阻止する。吸気口３に設けられた逆止弁８は、グリップ本体２の内部空気が内部に流入しようとする場合は、図３（ａ）に示すように開いて、その流れを許可し、逆に、外部からグリップ本体２の内の空気が流出しようとする場合は、図３（ｂ）のように閉じて、この流れを阻止する。
【００３０】
上記のリハビリテーション用ハンドグリップ１は次のように使用することができる。
【００３１】
まず、図１のグリップ本体２を手に持って、掌握するように力を加え、グリップ本体２を図４（ａ）のように弾性変形させる。このとき、グリップ本体２の空洞７内に在る空気は、逆止弁付の排気口４から外部に排気音を伴いながら放出される。次に、把持する力を緩めることにより、逆止弁付の吸気口３からグリップ本体２内に大気が入り込み、吸気音を伴いながらグリップ本体２が図４（ｂ）のように元の膨らんだ姿に戻る。この空気の出入り作用および排吸気音の存在により、患者に興趣を起こさせることができる。また、上記したリハビリテーション用ハンドグリップ１は、空気の替わりに液体を媒体として扱うことができ、例えばお風呂の中でお湯を出し入れさせ、飛び出させるといった使い方ができる。これにより、空気の場合と同様に、患者に興趣を起こさせることができる。また、患者は、その出入りする空気又は液体の流出入速度や量により、自らが訓練を通じてどの程度の機能回復が計られたかが感覚的に把握することができる。従って、患者自らの自発的な訓練意欲の維持、向上を図ることが可能である。
【００３２】
グリップ本体２の形状は、患者が握りやすい形状であればよく、上記の楕円形状のものに限定されない。例えば、図５（ａ）に示すように球状に近い形状としたり、図５（ｂ）に示すように側部中央が滑らかに少し窪んだ形状、すなわち断面が糸巻き状に近い形状としたり、図５（ｃ）に示すように、側部中央が滑らかに少し膨らんだ樽状の形状とすることができる。
【００３３】
図６に本考案の第２の実施形態を示す。上記吸気口３および排気口４は、上記第１の実施形態（図１、図５）のように並置して設ける必要はなく、例えば図６（ａ）に示すように、取付板５の上に径が異なる二重円筒の口部９を設け、その基部側の大径部に吸気口３を構成し、先端側の小径部に排気口４を構成することもできる。また、図６（ｂ）に示すように、取付板５の上に１本の円筒状の口部１０を設け、この側面部に吸気口３を形成し、先端面に排気口４を形成する構成とすることもできる。更にまた、図６（ｃ）に示すように、グリップ本体２の互いに反対側、ここでは円筒状のグリップ本体２の両端面に、それぞれ円筒体６を設け、その一方の端面の円筒体６に吸気口３を、他方の端面の円筒体６に排気口４を形成することもできる。
【００３４】
上記したリハビリテーション用ハンドグリップ１は、その排気口４に外部デバイスを接続して、リハビリテーション用ハンドグリップ装置を構成することができる。この外部デバイスは、リハビリテーション用ハンドグリップ１の排気口４から排気される空気により作動して患者に興趣を起こさせる動作を行う装置であればよく、次のような装置を採用することができる。すなわち、その第１は、上記排気口４から排気される空気により作動して音響を発する装置であり、第２は、上記排気口４から排気される空気により作動して視覚的に変化する装置である。
【００３５】
図７〜図８は、本考案の第３の実施形態として、音響を発生する外部デバイスを接続したリハビリテーション用ハンドグリップ装置を示したものである。このうち図７は、リハビリテーション用ハンドグリップ１の排気口４に外部デバイスとして１個の笛要素から成る笛１１を接続してリハビリテーション用ハンドグリップ装置１２を構成した例である。患者がリハビリテーション用ハンドグリップ１を操作して排気口４から空気を排出させる度に、排気される空気により笛１１が作動して「ピー、ピー…」という音を発生させる。このリハビリテーション用ハンドグリップ装置１２の特徴は、笛１１が簡易な音響発生装置であり且つリハビリテーション用ハンドグリップ１より小さく小型であることから、リハビリテーション用ハンドグリップ装置１２が極めて小型に構成できる点にある。
【００３６】
図８は、リハビリテーション用ハンドグリップ１の排気口４に外部デバイスとして連装笛１３を送気用配管１４により接続してリハビリテーション用ハンドグリップ装置１５を構成した例である。この連装笛１３は長さの異なるパイプから成る笛要素１６を複数個横に並べた構成となっている。患者がリハビリテーション用ハンドグリップ１を操作して排気口４から空気を排出させる度に、排気される空気により連装笛１３が作動する点は図７の場合と同じであるが、連装笛１３を通過する空気流の流速に応じて、連装笛１３を構成する笛要素１６のうちの反応する笛要素が異なり、発生する音の音階が異なるという点で、図７の場合と相違する。このリハビリテーション用ハンドグリップ装置１５の特徴は、リハビリテーション用ハンドグリップ１の操作の仕方、すなわち訓練次第で異なる音階の音を発生できるという点にある。
【００３７】
図９〜図１２は、本考案の第４の実施形態として、視覚的に変化する外部デバイスを接続したリハビリテーション用ハンドグリップ装置を示したものである。このうち図９は、リハビリテーション用ハンドグリップ１の排気口４に外部デバイスとしてゴム風船１７を送気用配管１４により接続してリハビリテーション用ハンドグリップ装置１８を構成した例である。患者がリハビリテーション用ハンドグリップ１を操作して排気口４から空気を排出させる度に、ゴム風が膨らんで行くという、視覚的な変化を患者の視覚に与えることができる。ゴム風船１７の色や形や大きさなどを変えることができ、また交換も容易であるため、簡易なリハビリテーション用ハンドグリップ装置１８を構築することができる。
【００３８】
図１０は、リハビリテーション用ハンドグリップ１の排気口４に外部デバイスとして気泡発生鑑賞装置１９を送気用配管１４により接続してリハビリテーション用ハンドグリップ装置２０を構成した例である。この気泡発生鑑賞装置１９は、基台２１上に設置した透明ケース２２内に魚の模型２３などを入れて液体２４で満たし、この液体２４中の下部に外部から空気を入れられる構成としたものである。患者がリハビリテーション用ハンドグリップ１を操作して排気口４から空気を排出させ、この空気を気泡発生鑑賞装置１９に導入する度に、透明ケース２２内の液体２４の下部から気泡２５が発生し、液体２４中を上方に移行してゆく。この視覚的な変化を患者の視覚に与えることで、患者にリハビリテーション用ハンドグリップ１の操作を続けさせる意欲を起こさせることができる。
【００３９】
図１１は、リハビリテーション用ハンドグリップ１の排気口４に外部デバイスとしてシャボン玉発生鑑賞装置２６を送気用配管１４により接続してリハビリテーション用ハンドグリップ装置２７を構成した例である。このシャボン玉発生鑑賞装置２６は、基台２８上に設置した容器２９内にシャボン玉作成用溶液３０を入れ、この容器２９中の底面に中央より突出させて吹き出し口３１を設け、この吹き出し口３１の下部に外部から空気を入れられる構成となっている。患者がリハビリテーション用ハンドグリップ１を操作して排気口４から空気を排出させ、この空気をシャボン玉発生鑑賞装置２６に導入する度に、容器２９内に作成されるシャボン膜３０ａの下方から空気が導出されてシャボン玉３２が作られ、上方に分離して、飛んでゆく。この視覚的な変化を患者の視覚に与えることで、患者にリハビリテーション用ハンドグリップ１の操作を続けさせる意欲を起こさせることができる。
【００４０】
図１２は、リハビリテーション用ハンドグリップ１の排気口４に外部デバイスとして風車回転鑑賞装置３３を送気用配管１４により接続してリハビリテーション用ハンドグリップ装置３４を構成した例である。この風車回転鑑賞装置３３は、基台３５上に設置した支柱３６に風車３７を回転自在に支承させ、この風車３７の底面に空気の吹き出しノズル３８を設け、この吹き出しノズル３８に外部から空気を導入し得る構成となっている。患者がリハビリテーション用ハンドグリップ１を操作して排気口４から空気を排出させ、この空気をシャボン玉発生鑑賞装置２６に導入する度に、吹き出しノズル３８から空気が噴出され、風車３７が矢印方向に回転される。この視覚的な変化を患者の視覚に与えることで、患者にリハビリテーション用ハンドグリップ１の操作を続けさせる意欲を起こさせることができる。
【００４１】
以上述べたように、本考案の実施形態によれば、患者がグリップ本体２を弾性変形させることに伴い、外部デバイスが動作を起こすので、より強い興趣を患者に起こさせることができる。
【００４２】
本考案のリハビリテーション用ハンドグリップ装置は、外部デバイスを工夫することにより、数々の異なった作用を発現させることができるため、患者の病態の現状に応じて比較的難易度の低いものより高いものまで外部デバイスを選択でき、症状の改善に応じてグレードアップさせることが可能である。従って、患者に自らの症状の回復を容易に理解させることが可能であり、回復への達成感を与え易く訓練も継続する意欲を与え易い。また娯楽的機能を伴うので、家族と共々に楽しみながら、患者の機能回復の向上を喜ぶことが可能である。
【００４３】
本発明は、上記した実施形態のみに限定されるものではなく、実用新案登録請求の範囲内において、種々改変することができる。例えば、上記実施形態では、リハビリテーション用ハンドグリップおよびリハビリテーション用ハンドグリップ装置について説明したが、本発明は、握力増強用、あるいはおもちゃとしての、ハンドグリップおよびハンドグリップ装置にも適用可能である。
【図面の簡単な説明】
【００４４】
【図１】本考案のの第１の実施形態にかかるリハビリテーション用ハンドグリップを示す斜視図である。
【図２】図１のＡ−Ａ断面図である。
【図３】本考案の第１の実施形態に係るリハビリテーション用ハンドグリップの逆止弁の構造を示したもので、（ａ）は開状態、（ｂ）は閉状態を示した図である。
【図４】本考案の第１の実施形態に係るリハビリテーション用ハンドグリップの弾性変形後の状態（ａ）と復帰後の状態（ｂ）を示した図である。
【図５】本考案の第１の実施形態に係るリハビリテーション用ハンドグリップの形状の変形例を示す図である。
【図６】本考案の第２の実施形態に係るリハビリテーション用ハンドグリップを示す図である。
【図７】本考案の第３の実施形態に係るリハビリテーション用ハンドグリップ装置の第１の具体例を示す図である。
【図８】本考案の第３の実施形態に係るリハビリテーション用ハンドグリップ装置の第２の具体例を示す図である。
【図９】本考案の第４の実施形態に係るリハビリテーション用ハンドグリップ装置の第１の具体例を示す図である。
【図１０】本考案の第４の実施形態に係るリハビリテーション用ハンドグリップ装置の第２の具体例を示す図である。
【図１１】本考案の第４の実施形態に係るリハビリテーション用ハンドグリップ装置の第３の具体例を示す図である。
【図１２】本考案の第４の実施形態に係るリハビリテーション用ハンドグリップ装置の第４の具体例を示す図である。
【符号の説明】
【００４５】
１      リハビリテーション用ハンドグリップ、
２      グリップ本体、
２ａ    外側層、
２ｂ    内側層、
３      吸気口、
４      排気口、
５      取付板、
６      円筒体、
７      空洞、
８      逆止弁、
８ａ    弁体、
８ｂ    弁座、
９      口部、
１０      口部、
１１      笛、
１２      リハビリテーション用ハンドグリップ装置、
１３      連装笛、
１４      送気用配管、
１５      リハビリテーション用ハンドグリップ装置、
１６      笛要素、
１７      ゴム風船、
１８      リハビリテーション用ハンドグリップ装置、
１９      気泡発生鑑賞装置、
２０      リハビリテーション用ハンドグリップ装置、
２１      基台、
２２      透明ケース、
２３      模型、
２４      液体、
２５      気泡、
２６      シャボン玉発生鑑賞装置、
２７      リハビリテーション用ハンドグリップ装置、
２８      基台、
２９      容器、
３０      シャボン玉作成用溶液、
３１      吹き出し口、
３２      シャボン玉、
３３      風車回転鑑賞装置、
３４      リハビリテーション用ハンドグリップ装置、
３５      基台、
３６      支柱、
３７      風車、
３８      吹き出しノズル。
【図１】
0003122480.tif 000003
【図２】
0003122480.tif 000004
【図３】
0003122480.tif 000005
【図４】
0003122480.tif 000006
【図５】
0003122480.tif 000007
【図６】
0003122480.tif 000008
【図７】
0003122480.tif 000009
【図８】
0003122480.tif 000010
【図９】
0003122480.tif 000011
【図１０】
0003122480.tif 000012
【図１１】
0003122480.tif 000013
【図１２】
0003122480.tif 000014